(57)【要約】  【課題】放送受信機能付きの移動型放送受信装置において無駄な電力消費を防止する。  【解決手段】本移動型放送受信装置１は、デジタル放送の視聴の予約を行う予約手段と、周囲の明るさを検出する照度センサー１２と、予約手段により予約された、番組の開始時刻に対応して、該照度センサー１２により周囲の明るさを検出し、該検出結果に応じて当該予約に基づく処理を制御する制御手段２０と、を備える。  【選択図】図１
2007151165.tif 000002
【特許請求の範囲】
【請求項１】
デジタル放送の視聴の予約を行う予約手段と、
周囲の明るさを検出する照度センサーと、
前記予約手段により予約された、番組の開始時刻に対応して、該照度センサーにより周囲の明るさを検出し、該検出結果に応じて当該予約に基づく処理を制御する制御手段と、
を備えることを特徴とする移動型放送受信装置。
【請求項２】
前記制御手段は、前記照度センサーにより検出された周囲の明るさが基準値以上の場合に、デジタル放送の表示を行うよう制御する
ことを特徴とする請求項１に記載の移動型放送受信装置。
【請求項３】
前記制御手段は、前記照度センサーにより検出された周囲の明るさが基準値未満の場合にタイマーを起動させ、タイマー起動中に再度、前記照度センサーにより周囲の明るさを検出する
ことを特徴とする請求項１に記載の移動型放送受信装置。
【請求項４】
前記制御手段は、前記タイマーの起動中にキー操作があったときは、デジタル放送の表示を行うように制御する
ことを特徴とする請求項３に記載の移動型放送受信装置。
【請求項５】
前記制御手段は、前記タイマーの起動中に再度、前記照度センサーによる周囲の明るさ検出を行い、この明るさ検出と前記最初の明るさ検出の結果を基に、当該予約に基づく処理を制御する
ことを特徴とする請求項３に記載の移動型放送受信装置。
【請求項６】
前記制御手段は、前記タイマー起動中に周囲の明るさが基準値以上に変化した場合は、デジタル放送の表示を行うように制御する
ことを特徴とする請求項５に記載の移動型放送受信装置。
【請求項７】
前記制御手段は、視聴予約の開始時間にデジタル放送を受信せず、前記照度センサーにより周囲の明るさを検出して、前期基準値以上と判定した後にデジタル放送を受信するように制御する
ことを特徴とする請求項２に記載の移動型放送受信装置。
【請求項８】
前記制御手段は、周囲の明るさが前記基準値を満たしていない場合、ユーザーに通知制御する
ことを特徴とする請求項２に記載の移動型放送受信装置。
【請求項９】
前記制御手段は、撮像手段を有し、前記照度センサーの測定により周囲の明るさが基準値以上と判断された場合、撮像手段において焦点距離を測定し、該測定結果が基準範囲以内であればデジタル放送を表示するように制御する
ことを特徴とする請求項２に記載の移動型放送受信装置。
【請求項１０】
前記制御手段は、前記照度センサーの測定により周囲の明るさが基準値以上と判断された場合、前記撮像手段により画像を複数枚撮影し、その撮影された画面の差分を求め、該差分に基づいて当該予約に基づく処理を制御する
ことを特徴とする請求項９に記載の移動型放送受信装置。
【請求項１１】
前記制御手段は、前記画面の差分が基準範囲外のときはデジタル放送を表示する
ことを特徴とする請求項１０に記載の移動型放送受信装置。
【請求項１２】
前記制御手段は、デジタル放送を表示するまで表示用ライトをオフしたままとするように制御する
ことを特徴とする請求項１〜１１のいずれかに記載の移動型放送受信装置。
【発明の詳細な説明】
【技術分野】
【０００１】
本発明は、デジタル放送の視聴予約機能を有する移動型放送受信装置に関する。
【背景技術】
【０００２】
近年、携帯電話機にテレビチューナを内蔵する技術が知られている（例えば、特許文献１参照）。
【０００３】
家庭内の据え置き型テレビジョン受信装置（放送受信装置）における視聴予約では、予約時間になると自動的にテレビジョン受信装置の電源がオンになり、終了時間になると自動でテレビジョン受信装置の電源がオフになる。
【０００４】
ところで、放送受信機能が付いた移動型放送受信装置（たとえば携帯電話）が発売されてきており、家庭内のテレビジョン受信装置と同様に視聴予約機能を備えることも可能である。この移動型放送受信装置で視聴予約をした場合に、据え置き型テレビジョン受信装置と同様、視聴開始時間になると自動で移動型放送受信装置の電源がオンし、視聴終了時間になると自動で移動型放送受信装置の電源がオフする。
【特許文献１】特開２００２−９９２０号公報
【発明の開示】
【発明が解決しようとする課題】
【０００５】
ところが、放送受信機能付きの移動型放送受信装置において、ユーザーが視聴予約した番組を見忘れてしまった場合、ユーザーが見ていない状態にもかかわらず放送受信部（チューナー等）の電源が予約開始時間になると自動的に投入され、無駄な電力を消費してしまう。移動型放送受信装置であるためバッテリー容量は限られているため無駄に電力を消費してしまうと、ユーザーが気付いた時にはバッテリーが無くなってしまい、必要な時に移動型放送受信装置が使用できなくなることがあり、これは移動型放送受信装置とすると致命的なことになり得る。
【０００６】
とくに移動型放送受信装置が携帯電話機であるとすると、たとえばカバンや机の引き出し等の中に入れていた場合には視聴予約の実行を気付かないことがあり、自動電源投入により長い間電源が無駄に消費されてしまう可能性が高い。そして、これにより待受時間、通信時間、デジタル放送の受信時間が短くなってしまうという問題が生じる。
【０００７】
本発明が解決しようとする課題は、放送受信機能付きの移動型放送受信装置において無駄な電力消費を防止することである。
【課題を解決するための手段】
【０００８】
本発明に係る移動型放送受信装置は、デジタル放送の視聴の予約を行う予約手段と、周囲の明るさを検出する照度センサーと、前記予約手段により予約された、番組の開始時刻に対応して、該照度センサーにより周囲の明るさを検出し、該検出結果に応じて当該予約に基づく処理を制御する制御手段と、を備えることを特徴とする。
【０００９】
本発明では好適に、前記制御手段は、前記照度センサーにより検出された周囲の明るさが基準値以上の場合に、デジタル放送の表示を行うよう制御することを特徴とする。
【００１０】
本発明では好適に、前記制御手段は、前記照度センサーにより検出された周囲の明るさが基準値未満の場合にタイマーを起動させ、タイマー起動中に再度、前記照度センサーにより周囲の明るさを検出することを特徴とする。
【００１１】
この場合、好適に、前記制御手段は、前記タイマーの起動中にキー操作があったときは、デジタル放送の表示を行うように制御することを特徴とする。
【００１２】
あるいは好適に、前記制御手段は、前記タイマーの起動中に再度、前記照度センサーによる周囲の明るさ検出を行い、この明るさ検出と前記最初の明るさ検出の結果を基に、当該予約に基づく処理を制御することを特徴とする。
【００１３】
この場合、好適に、前記制御手段は、前記タイマー起動中に周囲の明るさが基準値以上に変化した場合は、デジタル放送の表示を行うように制御することを特徴とする。
【００１４】
本発明では好適に、前記制御手段は、視聴予約の開始時間にデジタル放送を受信せず、前記照度センサーにより周囲の明るさを検出して、前期基準値以上と判定した後にデジタル放送を受信するように制御することを特徴とする。
【００１５】
本発明では好適に、前記制御手段は、周囲の明るさが前記基準値を満たしていない場合、ユーザーに通知制御することを特徴とする。
【００１６】
本発明では好適に、前記制御手段は、撮像手段を有し、前記照度センサーの測定により周囲の明るさが基準値以上と判断された場合、撮像手段において焦点距離を測定し、該測定結果が基準範囲以内であればデジタル放送を表示するように制御することを特徴とする。
【００１７】
この場合、好適に、前記制御手段は、前記照度センサーの測定により周囲の明るさが基準値以上と判断された場合、前記撮像手段により画像を複数枚撮影し、その撮影された画面の差分を求め、該差分に基づいて当該予約に基づく処理を制御することを特徴とする。
【００１８】
さらに好適に、前記制御手段は、前記画面の差分が基準範囲外のときはデジタル放送を表示することを特徴とする。
【００１９】
本発明では好適に、前記制御手段は、デジタル放送を表示するまで表示用ライトをオフしたままとするように制御することを特徴とする。
【発明の効果】
【００２０】
本発明によれば、放送受信機能付きの移動型放送受信装置において無駄な電力消費を防止するという利点がある。
【発明を実施するための最良の形態】
【００２１】
本発明は、コンピュータ、電話、ゲーム機、カメラ、カーナビ、あるいは動画再生装置などの表示手段を有する機器であって、とくに移動が自由に行える移動型放送受信装置に、デジタル放送受信機能を付加した場合に広く適用可能である。
【００２２】
以下、本発明の実施の形態を、放送受信機能を内蔵した移動型放送受信装置の一例である携帯端末を例として図面を参照しつつ説明する。
【００２３】
図１は、実施形態の携帯端末について、その主にデジタル放送受信に関する内部構成を示すブロック図である。
【００２４】
図解した携帯端末１は、デジタル放送受信の機能を実現するための基本構成として、放送受信部２、放送受信アンテナ３、表示部４、操作部５、音声入出力部６、メモリ７および制御部（たとえばＣＰＵ）２０を有する。
【００２５】
表示部４は、表示デバイスと、その駆動回路を含む。
【００２６】
音声入出力部６は、スピーカやマイクを含む。
【００２７】
メモリ７は、放送受信部２内で画像処理を行うときに必要に応じて画像データを一時的に保持し、その他必要な情報を保管する。
【００２８】
制御部２０は、図１に示すブロックの制御を行う。さらには携帯端末か携帯通信端末の場合、図示を省略している通話やデータ通信等の移動体通信に関する機能ブロックの制御を行う。
【００２９】
放送受信部２は、フロントエンド処理（ノイズ除去、周波数変換、増幅等）、チューナー（同調）、復調、復号化、画像および音声の処理等の放送受信に関する全ての処理を行う。放送受信部２内のチューナーは、チューナー制御手段８によって制御され、ユーザーが操作部５にて指定したチャンネルに同調する周波数帯域の放送受信信号を取り出す。
【００３０】
デジタル放送受信において、不図示の放送局から送信された電波を放送受信アンテナ３で受信する。受信信号を放送受信部２内にてフロントエンド処理後に、選局チャンネルに同調させる。これにより、ユーザーが視聴したい放送コンテンツを含む所定周波数帯域の受信信号が得られ、これを更に復調して、該信号からデータストリームを取り出す。さらに放送受信部２内で、データストリームから音声や画像等のデータを分離しデコードする。デコード後の画像データを表示部４で再生し、音声データを音声入出力部６内のスピーカで再生する。
【００３１】
なお、表示部４は移動体通信端末として使用するときにも用いられ、共用される。スピーカは、放送コンテンツに含まれる音声を出力するほかに、移動体通信端末の着信音を発生する場合等に使用される。操作部５は、放送受信時に機能切り替え、選局およびボリューム調整等に使用され、移動体通信時に機能切り替え、テンキーその他の情報入力手段として使用される。
【００３２】
携帯端末１は、放送番組コンテンツの予約機能があり、そのための構成として、チューナー制御手段８に対して予め予約されている番組コンテンツの再生（または記録）を、予約時間になったことを条件に実行させる予約制御手段９と、該予約制御手段９に対して、番組予約の実行後に予約内容を解除することを制御する予約解除制御手段１０とを有する。
【００３３】
本例の携帯端末１は、さらに、撮像部１１と、そのオートフォーカス制御部（不図示）とを備える。
【００３４】
本実施の形態では、照度センサー１２と、該照度センサー１２からの照度検出信号に基づいて該携帯端末１の視聴環境（明るさ）を判定する明るさ判定手段１３と、応答検出手段１４とを有する。
【００３５】
最近の携帯電話機においては内蔵されたカメラにより写真を撮影する際に光センサーを備えているものもあり、これと照度センサー４を併用することにより新たに部品を追加する必要がない。
【００３６】
応答検出手段１４は、操作部５からのキー操作情報、撮像部１１から不図示のオートフォーカス制御部を介して入力される焦点距離情報、明るさ判定手段１３からの判定情報の何れか、または、複数の情報に基づいて応答検出を行い、予約解除制御手段１０に予約解除のトリガを与える。ここでで「応答検出」とは、ユーザーが視聴可能な状態が整ったことの検出をいう。
【００３７】
図２は、移動型放送受信装置１の操作キーや表示部等が視認可能な状態を示す外観図である。なお、この外観図はストレート型の携帯端末１を示すが、折り畳み型あるいはスライド型の場合に、携帯端末を開いた状態、スライドした状態でも同じである。
【００３８】
図２に示す状態において、図１との対応で言えば、画像情報やポップアップ表示４Ａを表示するための表示部４、操作部５、撮像部１１および照度センサー１２がユーザーに視認可能に現れている。
【００３９】
操作部５は、テンキー、上下左右の方向キー、決定キー、クリアキー、オンフックおよびオフフックボタン、電源ボタン等を備える。
【００４０】
ここでポップアップ表示４Ａは、図１に示す放送受信部２内の画像処理部が、表示部４の表示画面に、アラームのためのポップアップ表示４ＡをＯＳＤ(On Screen Display)として合成したものである。この合成と合成後のＯＳＤ表示を以下、「アラームの起動」という。
【００４１】
図１に示すブロックのうち、チューナー制御手段８、予約制御手段９、予約解除制御手段１０、明るさ判定手段１３、応答検出手段１４はハードウェアとして実現も可能である。ただし、制御部２０がＣＰＵの場合、その内蔵されたプログラムの機能としてソフトウエアで、これらブロックの機能の一部または全部を実現することが望ましい。
【００４２】
制御部（ＣＰＵ）２０には通常、時計手段を備え、本例ではこれを、予約時間やアラーム継続時間を保持のためのタイマーとして利用する。
【００４３】
以下、上述した携帯端末１の構成を前提として、視聴予約方法の実施例を説明する。なお、これらの実施例ではＥＰＧ等で視聴予約をして、携帯端末においてデジタル放送コンテンツを視聴する場合を説明する。予約情報の取得はＥＰＧから行う必要は必ずしもなく、他の方法でもよい。また、これらの実施例では必要に応じて適宜、図１または図２を参照し、携帯端末１を適宜、「端末」と略記する。
【００４４】
＜実施例１＞
図３に、実施例１のフローチャートを示す。
【００４５】
まず、ユーザーがＥＰＧ等を使用して携帯端末１でデジタル放送コンテンツを視聴するように視聴予約をする（Ｓ１）。視聴予約（開始）時間になる（Ｓ２）と、端末に搭載の放送受信部２が起動し受信準備をして、ＴＶアプリケーションを起動する（Ｓ３）。ここで「ＴＶアプリケーションを起動する」とは、予約している放送番組コンテンツを表示部４および音声入出力部６から再生し、および／または、録画および録音することをいう。
【００４６】
つぎに、携帯端末１に搭載されている照度センサー１２により周囲の明るさを測定し（Ｓ４）、明るさ判定手段１３が予め設定した基準値以上の明るさが検出したかどうかを、照度センサー１２からの検出信号を基に判定する（Ｓ５）。
【００４７】
明るさ判定手段１３が基準値以上の明るさを検出した場合、「予約解除を行わない」との指示を予約解除制御手段１０に出し、そのため予約制御手段９とチューナー制御手段８の制御により、放送受信部２で現在実行されているＴＶ番組表示の継続を決定する（Ｓ１８）。このＴＶ番組表示の継続中、視聴予約の終了時間が制御部２０により監視されており（Ｓ１９）、視聴予約の終了時間になると制御部２０の制御により放送受信部２内のチューナーがオフする（Ｓ２０）。
【００４８】
ステップＳ５にて基準値以上の明るさが検出されなかった場合、たとえばカバンの中などにありユーザーが直ぐに視聴できる状態ではないと制御部２０または明るさ判定手段１３が判断し（Ｓ６）、ポップアップ表示４Ａ（図２参照）によるアラームを起動し、同時に（アラーム監視）タイマーも起動する（Ｓ７）。
【００４９】
アラーム起動中において照度センサー１２により周囲の明るさを再度検出する（Ｓ８）。
【００５０】
基準値以上の明るさが検出された場合、そのことが制御部２０に入力されて、制御部２０がアラームを自動解除し（Ｓ１４）、（アラーム監視）タイマーも解除し（Ｓ１６）、視聴予約終了時間までデジタル放送コンテンツ表示を継続するために処理がステップＳ１８に移行する。その後、視聴予約終了時間になると放送受信部２がオフしてＴＶアプリケーションも終了する（Ｓ２０）。
【００５１】
ステップＳ８にて基準値以上の明るさが検出されなかった場合、その情報が応答検出手段１４に送られ、ここでユーザーが操作部５によってアラームを解除するかどうかを判定する（Ｓ９）。
【００５２】
ユーザーがアラームを解除した場合、その情報が制御部２０または応答検出手段１４によって検出され、タイマーを自動解除し（Ｓ１５）、テレビジョン視聴をするかどうかを、たとえばポップアップ表示４Ａによって表示し、ユーザーに選択させる（Ｓ１７）。
【００５３】
ステップＳ１７にてユーザーがテレビジョンを視聴すると選択した場合、視聴予約終了時間までデジタル放送コンテンツ表示を継続するために処理がステップＳ１８に移行する。その後、視聴予約終了時間になると放送受信部２がオフしてＴＶアプリケーションも終了する（Ｓ２０）。
【００５４】
一方、ステップＳ１７にてユーザーがテレビジョンを視聴しないと選択した場合、視聴予約時時間の経過を待たずに、放送受信部２がオフしてＴＶアプリケーションも終了する（Ｓ２０）。
【００５５】
ステップＳ９にてユーザーによりアラームが解除されない場合で、制御部２０内の（アラーム監視）タイマーの設定時間の満了が検出されると（Ｓ１０）、当該アラームを終了する（Ｓ１１）。この場合、ユーザーが視聴予約に気付かなかったと制御部２０が判断し、チューナーオフのための指令をチューナー制御手段８に出力することから、これにより放送受信部２がオフしてＴＶアプリケーションも終了し（Ｓ１２）、予約に基づく処理を解除（Ｓ１３）後に全ての制御が終了となる。
【００５６】
以上の実施例１の視聴予約およびその解除の処理手順によれば、視聴予約（開始）時間になればＴＶアプリケーションが自動で起動し番組表示が実行されるが、それ以後、当該番組表示を継続するか否かにおいて、以下の利点がある。
【００５７】
まず周囲の明るさを測定し（Ｓ４）、それが基準値以上であれば（Ｓ５）、ユーザーが携帯端末１を手に持っている、もしくは、机の上においてある等、番組表示を持続しても良い状態であると端末が判断する（Ｓ１８）ことから、ユーザーが何も操作をしなくてもテレビジョン視聴を継続できる。
【００５８】
予約視聴開始直後の明るさ判定（Ｓ５）にて周囲の明るさが基準値以下であったとしても、タイマー起動中に再度明るさ判定を行う（Ｓ８）。その後の判定で明るさが基準値以上に変化すれば、ユーザーがカバンの中から端末を取り出した、もしくは、部屋の電気をつけてテレビジョンを視聴する環境が整ったと端末が判断し、テレビジョン視聴を継続する。その際、ユーザーが「予約番組表示が開始されました」等のアラームに気付いたものとして、このアラームのためのポップアップ表示と、アラーム監視タイマーを自動的に解除する（Ｓ１４，Ｓ１６）。
【００５９】
一方、夜間外出中などユーザーが端末周囲を明るくすることができない状態においても、タイマー起動中にユーザーがアラーム解除キーを押すことによってテレビジョン視聴を継続可能である。具体的には、アラーム解除の判断（Ｓ９）が「Ｙｅｓ」となり、タイマー解除（Ｓ１５）を経て、つぎのテレビジョン視聴確認（Ｓ１７）にて「視聴を継続しますか」等のポップアップ表示４Ａが表示部４に表示される。これに応じてユーザーが視聴継続の意思判断を行うと、ステップＳ１７が「Ｙｅｓ」となることから、視聴継続が可能となる。このとき暗闇などテレビジョンを視聴するのにふさわしくない状況下であることから、ユーザーが予約番組を見ないと選択すると、ステップＳ１７が「Ｎｏ」となり、放送受信部（チューナー）２の電源がオフとなる（Ｓ２０）。
【００６０】
明るさ判定（Ｓ５とＳ８）で明るさが基準値以上にならず、かつ、ステップＳ９でユーザーが何も操作を行わなかった場合、ユーザーが端末を鞄等に入れっぱなしか、端末のある部屋に居ないために視聴予約の時間となったことに気付かなかったと判断する。このため、タイマーの終了（設定時間満了）を検出するステップＳ１０の後に、放送受信部２の電源をオフし（Ｓ１２）、予約に基づく処理も取り消す（Ｓ１３）。その結果、テレビジョン視聴をしなかったにも関わらず端末がバッテリーを消費してしまい、電話を掛けたいときに掛けられなく事態を有効に防ぐことができる。
【００６１】
＜実施例２＞
図４に、実施例２のフローチャートを示す。
【００６２】
実施例２が実施例１と異なる点の一つは、視聴予約時間となったら直ぐにチューナー等を起動せるのではなく、明るさ判定やユーザー操作有無の判断を待って、必要な場合にチューナー等を起動させることである。また、実施例２では、ユーザーが気付かない場合でも視聴予約の番組継続時間内なら間欠的にアラームを繰り返して、ユーザーが途中で気が付いたなら番組途中からでも視聴できるようにしている。なお、この後者の手順は、実施例１にも適用可能である。
【００６３】
図４に示すように、ＥＰＧ等の視聴予約を行い（Ｓ１）、その後視聴予約の開始時間になると（Ｓ２）、最初に明るさを測定し（図３のＳ４）、その結果、最初の明るさ判定（Ｓ５）を行う。
【００６４】
基準値以上の明るさが検出された場合、放送受信部（チューナー）２を起動し（Ｓ３Ａ）、ＴＶアプリケーションを起動して視聴を開始する（Ｓ３Ｂ）。その後、制御部２０が実行している予約時間の監視（Ｓ１９）で予約時間の終了が検出されると、放送受信部２をオフし（Ｓ１２）、全ての制御が終了となる。
【００６５】
ステップＳ５にて基準値以上の明るさが検出されなかった場合、たとえばカバンの中などにありユーザーが直ぐに視聴できる状態ではないと判断し（Ｓ６）、ポップアップ表示によるアラームを起動し、同時に（アラーム監視）タイマーも起動する（Ｓ７）。
【００６６】
つぎのアラーム起動中に実行される明るさ判定（Ｓ８）において、基準値以上の明るさが検出された場合、制御部２０がアラームを自動解除し（Ｓ１４）、（アラーム監視）タイマーも解除し（Ｓ１５）、チューナー起動のステップＳ３Ａに移行する。その後、視聴が開始され、視聴予約終了後にチューナーがオフ（Ｓ１２）になり、全ての制御が終了となる。
【００６７】
ステップＳ８にて基準値以上の明るさが検出されなかった場合、アラームを解除の判定を行い（Ｓ９）、ユーザーがアラームを解除した場合、タイマーを自動解除し（Ｓ１５）、ユーザーがＴＶを視聴すると操作した場合、チューナー起動のステップＳ３Ａに移行する。その後、視聴が開始され、視聴予約終了後にチューナーがオフ（Ｓ１２）になり、全ての制御が終了となる。なお、ユーザーがＴＶを見ない操作をすると（Ｓ９Ａ）、タイマーを解除して（Ｓ９Ｂ）、終了する。
【００６８】
ステップＳ９にてユーザーによりアラームが解除されない場合で、（アラーム監視）タイマーの設定時間の満了が検出されると（Ｓ１０）、当該アラームを終了する（Ｓ１１）。この場合、ユーザーが視聴予約に気付かなかったと制御部２０が判断し、予約解除（Ｓ１３）を行う。
【００６９】
実施例２では、つぎに制御部２０による制御で、鳴動アラームを一定サイクルで動作させ、これと同時にポップアップ表示によるメッセージを表示部４に表示させる（Ｓ２１）。この制御フローで起動させる鳴動アラームとして、テレビジョン音声とは別の音（着信メロディ用の音）やバイブレータ機能による振動、ＬＥＤによる点滅の何れでもよい。
【００７０】
この間欠的な鳴動アラームの起動中に、制御部２０が視聴予約時間を監視しており（Ｓ２２）、視聴予約時間が終了すると、アラームが終了する（Ｓ１１）。
【００７１】
実施例２によれば、明るさ判定（Ｓ５，Ｓ８）やユーザー操作有無の判断（Ｓ９）を待って、必要な場合にチューナー等を起動させる（Ｓ３Ａ）ことから、無駄にチューナー起動が行われない。このため一層のバッテリー電力の節約が可能である。
【００７２】
また、ユーザーが気付かない場合でも視聴予約の番組継続時間内なら間欠的にアラームを繰り返して、ユーザーが途中で気が付いたなら番組途中からでも視聴できることから、使いやすい。なお、アラーム中（Ｓ２１）にユーザーがＴＶ視聴を行う操作をした場合、自動的に予約に基づく視聴処理を行っても良い。
【００７３】
＜実施例３＞
図５に、実施例３のフローチャートを示す。
【００７４】
実施例３は実施例１の変形例であり、最初に測定した明るさが基準以上の場合に以降の明るさ測定結果の判定において、明るさの変化が基準以内であるか否かを調べる点で実施例１と異なる。この判定は実施例２においても同様に適用可能である。なお、以下の説明では適宜、実施例１および実施例２のフローチャート（図３，図４）を参照する。
【００７５】
図５におけるステップＳ１〜Ｓ５までは図３と同じである。
【００７６】
１回目の明るさ判定（Ｓ５）において、その明るさが基準以上でない場合は、参照符号（＊Ａ）で示すルートを通って、図３のステップＳ６に処理フローが移行する。
【００７７】
ステップＳ５で基準以上の明るさが検出された場合、たとえばステップＳ４の１回目の明るさ測定から１秒後に、もう一度明るさを測定する（Ｓ２５）。そして、この２回目の測定結果を１回目の測定結果と比較し、その明るさ変化量が基準以内かを調べる（Ｓ２６）。
【００７８】
明るさの変化が基準以内であった場合明るい部屋に携帯端末を置き忘れているという可能性が高い。なぜなら、ユーザーが端末を手に持っていれば、明るさは多少なりとも変化すると考えられる。この場合を排除するためには、ステップＳ２６での判断基準をかなり低く設定するとよい。また、２回目の測定と判断を短い周期で繰り返し、その検出精度を上げるようにしてもよい。
【００７９】
ステップＳ２６で２回目の明るさ測定結果が基準以上の場合、図３および図４と同じようにアラーム起動とタイマー起動を行う（Ｓ７）。
【００８０】
以後の処理、すなわちアラーム解除検出（Ｓ９）、タイマー終了時間の検出（Ｓ１０）、アラーム終了（Ｓ１１）、チューナーオフ（Ｓ１２）、予約に基づく処理の解除（Ｓ１３）、タイマー自動解除（Ｓ１５）、番組表示継続（Ｓ１８）、視聴予約時間の終了検出（Ｓ１９）およびチューナーオフ制御（Ｓ２０）は、実施例１（図３）あるいは実施例２（図４）と同じである。
【００８１】
また、２回目の明るさ判定（実施例１，２ではステップＳ８、実施例３ではステップＳ２６）が「Ｙｅｓ」の場合、ステップＳ１８の番組表示継続に移行すること自体も同じである。ただし、実施例３では未だアラームやタイマーの起動前なので、それらの自動解除は行う必要がない点は実施例１，２と異なる。
【００８２】
このため、これらのステップＳ９〜Ｓ１９）の内容および手順の説明は省略する。
【００８３】
なお、図３におけるユーザーに対する視聴確認（Ｓ１７）は任意であるのでステップＳ１５の次に設けても良い。
【００８４】
実施例３では、明るさの変化が基準以上であった場合、ユーザーが携帯端末の照度センサーの前で動いているつまり携帯端末の前にいると考えられるため、テレビジョン受信を自動で継続するように制御する。また、この基準値を最適化すると、端末が明るい場所で放置されたままか、あるいは、明るい場所でユーザーが端末を手に持っているかの微妙な判断も可能である。このことは、ステップＳ９のアラーム解除のみでは、ユーザーに視聴意思があるかを判断することが難しく、その判断の精度を高めることに役立つ。
【００８５】
つぎの実施例４と実施例５は、ユーザーが視聴しようとしているか否かの判定精度をより向上できるように、２回目の明るさ測定に代えて、撮像部１１の機能を利用した測定を行うものである。
【００８６】
したがって、図５に示す実施例３と比較すると、ステップＳ５とＳ７との間の２ステップの内容が異なるのみである。以下、実施例４と実施例５では、この２ステップの内容を主に説明する。
【００８７】
＜実施例４＞
図６に、実施例４のフローチャートを示す。
【００８８】
ＥＰＧなどに基づく視聴予約（Ｓ１）、視聴予約（開始）時間検出（Ｓ２）、チューナーおよびＴＶアプリケーションの起動（Ｓ３）、明るさ測定（Ｓ４）、明るさ判定（Ｓ５）を行い、この判定が「Ｙｅｓ」の場合に、撮像部で焦点距離を自動測定する（Ｓ３０）。この測定は、図１に示す撮像部１１が、不図示のオートフォーカス制御部によって制御されることで実行される。具体的には、撮像部１１が捉えている周辺物体までのオートフォーカスを行い、その焦点距離を算出する。この計算自体は制御部２０が行ってもよい。
【００８９】
つぎに、制御部２０により、測定した焦点距離が基準範囲内かが判定される（Ｓ３１）。
【００９０】
焦点距離が短く基準範囲に入る場合は、ユーザーが端末画面を見ていると判断でき、焦点距離が基準範囲より大きいと、撮像部１１は部屋の壁や天井、その他のユーザー以外に合焦したと判断できる。
【００９１】
このためステップＳ３１の判定が「Ｎｏ」の場合は、処理フローがステップＳ７に移行し、「Ｙｅｓ」の場合はステップＳ１８に移行する。ステップＳ７〜Ｓ２０は実施例３と同じなので、ここでの説明を省略する。
【００９２】
実施例４では、焦点距離判定の基準範囲を、たとえば端末を置いて視聴する場合は３０ｃｍ〜１５０ｃｍ、ユーザーが手に持って視聴する場合は、２０ｃｍ〜６０ｃｍ程度の端末とユーザーの距離があると考えると、その基準範囲を２０ｃｍ〜１５０ｃｍ程度に設定することが好ましい。
【００９３】
また、焦点距離測定を複数回行って、変化がある場合はユーザーが視聴態勢にあると判断できることから、そのような制御を付加してもよい。
【００９４】
実施例４によれば、ユーザーが視聴態勢にあることを、実施例１，２より高い精度で検出できる利点が得られる。
【００９５】
また、透明のバッグに端末が入れられ、ステップＳ５で明るさが基準以上と判定されることもあるが、この場合、バッグの内側に焦点が合うことになるため、焦点距離は２０ｃｍ〜１５０ｃｍ程度といった基準範囲から外れる。このため、ステップＳ３１の判定が「Ｎｏ」となりチューナーオフの制御となることから、無駄な電力消費が防止できる。
【００９６】
＜実施例５＞
図７に、実施例５のフローチャートを示す。
【００９７】
実施例４と同様にステップＳ１〜Ｓ５を行ったときに、ステップＳ５の明るさ判定が「Ｙｅｓ」の場合、本例では、撮像部１１が２枚の画像を撮影する（Ｓ３２）。具体的には、撮像部１１が捉えている周辺物体までオートフォーカスを行って撮影する動作を、たとえば１〜５秒の所定間隔で２回（３回以上でも可）行い、制御部２０が撮像部１１から得た画像データをメモリ７に保存する。
【００９８】
つぎに、制御部２０（または撮像部１１内の画像処理回路）により、撮影した画像データ間で差分を求め、求めた画像の差分が基準範囲内かが判定される（Ｓ３３）。
【００９９】
上記差分が基準範囲内であれば、端末の前にユーザーがいると判断できる。人が、たとえば１〜５秒の間隔で全く動かないのは非常に稀だからである。一方、上記差分が基準未満の場合は、動いているものが全くいない、つまりユーザーが視聴状態でないと判断できる。なお、たとえばペット等のユーザー以外が撮影されている場合は、この撮影を３回以上繰り返して、ペット等が居なくなることを確認することもできる。また、動きが激しすぎて基準範囲を超える場合は、動いているのは風に揺れるカーテン等か、あるいはペット等と判断でき、視聴状態にあるユーザーとはみなさないようにする。
【０１００】
いずれにしても、ステップＳ３１の判定が「Ｙｅｓ」の場合は、処理フローがステップＳ７に移行し、「Ｎｏ」の場合はステップＳ１８に移行する。ステップＳ７〜Ｓ２０は実施例３と同じなので、ここでの説明を省略する。
【０１０１】
実施例５によれば、実施例４と同様、ユーザーが視聴態勢にあることを、実施例１，２より高い精度で検出できる利点が得られる。
【０１０２】
一般に、携帯端末が携帯電話機の場合マナーモードに設定されていた場合、ユーザーに知らせるために一般に音を使わず、バイブレータ機能を使用する。
【０１０３】
図７に示す制御フローの場合、バイブレータ動作により端末が移動してしまい、撮影画像の差分が大きくなる可能性が考えられる。この場合、バイブレータを間欠的に動作させバイブレータの停止期間継続中に２回撮影を行いその画像間で差分を検出し判定を行うようにしてもよい。これにより、誤認識を防ぐことができる。
【０１０４】
＜実施例６＞
図８に、実施例６のフローチャートを示す。
【０１０５】
実施例６は、番組表示、表示部４（本例ではＬＣＤ）のバックライトの制御を、チューナー起動／停止とは別に制御し、より消費電力を低減することが上述した他の実施例と異なる。
【０１０６】
また、暗闇でもユーザーが視聴したい場合はあることを考慮して、その暗闇での視聴可能状態を判定するための手順を追加している点でも他の実施例と異なる。
【０１０７】
なお、実施例６では、実施例４と同様に焦点距離測定を行う場合を例示するが、これに代えて実施例５のように画像撮影により視聴可能状態を判定してもよい。ここでは暗闇に対処するためカメラ用ＬＥＤによりオートフォーカスを行うが、これに構成としてはフラッシュをたくことで対処可能である。
【０１０８】
以下、以上の相違点に対応するステップと、それに付随して必要となったステップを中心として実施例６を説明する。なお、今までの実施例と同じステップは同一符号を付して、その説明を省略または簡略化する。
【０１０９】
図８において、実施例４と同様にステップＳ１〜Ｓ３を行った後に、番組表示はオンさせるがＬＣＤバックライトはオフ状態のままにする（Ｓ４０）。
【０１１０】
つぎに実施例４と同様、周囲の明るさを測定し（Ｓ４）、その測定値が基準値以上であるかを判定する（Ｓ５）。
【０１１１】
この判定が「Ｙｅｓ」の場合、実施例４と同様な方法によって撮像部１１で焦点距離を測定する（Ｓ３０）。そして、撮像部での焦点距離が基準範囲以内かを判定し（Ｓ３１）、基準範囲内でなかった場合、他の実施例と同様、ステップＳ９〜Ｓ２０の処理を行う。
【０１１２】
ただし、本例では、当初はＬＣＤバックライトがオフのままであることから、ステップＳ３１の判断が「Ｙｅｓ」となるか、あるいは、アラーム解除検出（Ｓ９）が「Ｙｅｓ」となりタイマーの自動解除（Ｓ１５）後において、ユーザーの視聴可能状態が整っているので、ＬＣＤバックライトをオンするステップＳ４１がステップＳ１８の前に追加されている。
【０１１３】
また、アラーム終了（Ｓ１１）後に、ユーザーが予約に気付かなかったとしてチューナーをオフするステップＳ１２にて、バックライトをオフする必要がない点が他の実施例と異なる。
【０１１４】
ステップＳ５の判断が「Ｎｏ」の場合、視聴予約開始時に周囲の明るさが基準値以下であることから、暗闇での焦点距離測定を行う。
【０１１５】
具体的には、図１に示す制御部２０が、不図示のカメラ用ＬＥＤを点灯させる（Ｓ４２）。このカメラ用ＬＥＤは、携帯電話機では一般的に搭載されている。つぎに、そのＬＥＤ光を用いて撮像部１１で焦点距離測定を行う（Ｓ４３）。その方法はステップＳ３０と同じである。そして、ステップＳ３１と同様にして、測定した焦点距離が基準範囲内かを判定し（Ｓ４４）、この判定が「Ｙｅｓ」場合、暗闇の中でユーザーが端末の前にいるため視聴可能状態が整っていると判断し、カメラ用ＬＥＤを消灯し（Ｓ４５）、処理フローをステップＳ４１に移行させる。このためＬＣＤバックライトがオンしてユーザーが表示番組を見ることが可能となる。
【０１１６】
ステップＳ４４の判定が「Ｎｏ」の場合、焦点距離が基準範囲外であることから、ユーザーが視聴状態にあるとはいえないとして、ステップＳ７と同様に、アラームとタイマーの起動を行う（Ｓ４６）。この時カメラ用ＬＥＤを点灯させたままにすることにより、ユーザーが視聴予約に気付く可能性が高まるが、消費電力を優先してアラームを起動する前に消灯してもよい。
【０１１７】
ついで、ステップＳ９とＳ１０と同様に、アラーム解除検出（Ｓ４７）とタイマー終了検出（Ｓ４８）を行う。
【０１１８】
アラームをユーザーが解除した場合、ステップＳ４７が「Ｙｅｓ」となるが、この場合、ユーザーの視聴意思があるとみなして、タイマーを自動解除しカメラ用ＬＥＤを消灯して（Ｓ４９）から、処理フローをステップＳ４１に移行させる。このためＬＣＤバックライトがオンしてユーザーが表示番組を見ることが可能となる。
【０１１９】
アラームを解除せずタイマーが終了した場合、ステップＳ４８が「Ｙｅｓ」となることから、依然としてユーザーは視聴可能な状態にないと判断して、カメラ用ＬＥＤを消灯して（Ｓ５０）から、処理フローをステップＳ１１のアラーム終了に移行させる。このためＬＣＤバックライトがオフのままチューナーがオフし、予約に基づいて処理も解除される。
【０１２０】
実施例６によれば、ＬＣＤバックライトは必要なときだけオンすることから、その分、消費電力の低減が可能である。
【０１２１】
また、ステップＳ４においてＬＣＤのバックライトがオフのままであり、この状態は周囲の明るさを測定する際（Ｓ３０，Ｓ４３）でも維持されることから、たとえばカバンの中でＬＣＤのバックライトによる明るさ及びその反射光などを照度センサー１２が検出することによる誤認識を防ぐことができる。
【０１２２】
さらに、暗い部屋でユーザーが視聴してようとしているのか、カバンの中に入れっぱなしにしているのかを判断することができ、端末の操作性が向上する。
【０１２３】
なお、撮影時により明るくさせるためにカメラに用いられているフラッシュを搭載した携帯電話も開発されてきている。そのような携帯端末の場合、実施例６においては、フラッシュは長時間の発光が難しいために暗い時に焦点距離を測定するために何回かフラッシュを発光させることにより対応することができる。
【０１２４】
また、図８の制御フローにおいて、カメラ用ＬＥＤ点灯（Ｓ４２）にてフラッシュを発光させ、ステップＳ４３とＳ４４の間にフラッシュを消灯させるように制御し、これによって、ステップＳ４５、Ｓ４９、Ｓ５０でのカメラ用ＬＥＤ消灯のステップを省略することも可能である。
【０１２５】
本実施の形態は、上記実施例１〜６に限定されるものではない。
【０１２６】
たとえば、予約に基づく明るさ判定のタイミングも、予約番組が始まる前のチューナー準備段階の頃に行っても良い。
【０１２７】
明るさ検出、焦点距離、画像差分の処理、暗闇でのフラッシュ点灯による焦点距離の測定を任意に組み合わせることにより、より的確な判断を行うことが可能となる。
【０１２８】
また、折り畳み型携帯通信端末の場合、折り畳みの内側に照度センサー１２をつけることにより、半開きの状態でカバンの中に入っていた際にもその明るさを検出し同様な制御を行うことができる。また開いた状態で明るい部屋に置き忘れてしまった場合においても同様な制御を行うことができ、折り畳み型携帯通信端末の無駄なバッテリー電力消費を有効に防ぐことができる。
【０１２９】
さらに、とくに詳細は説明しないが、電波状態によって放送受信部２の電源をオンまたはオフする制御フローを付加することもできる。この場合、電波状態が悪いときはバッテリー電力の無駄な消費を有効に防ぐことができる。
【０１３０】
本実施の形態によれば、以下の利益がえら得る。
【０１３１】
第１に、視聴開始時に周囲の明るさを検出し、タイマー起動中に明るさが変化せずまたユーザーが何も操作を行わなかった場合放送受信部をオフし、ＴＶアプリケーションを終了し視聴予約を解除することにより、ユーザーが見ていない状態でデジタル放送コンテンツを表示することによる無駄なバッテリー電力消費を防ぐことができる。
【０１３２】
第２に、視聴予約開始時に周囲の明るさが基準値以上であった場合、もしくはタイマー起動中に周囲の明るさが基準値以上に変化した場合自動的にテレビジョン受信を継続することにより端末の操作性が悪化することがない。
【０１３３】
第３に、タイマー起動中に周囲の明るさが基準値以下でありユーザーが移動型放送受信装置を明るくできない状態であってもキーを押す操作をすることにより、端末がテレビジョン受信を切断してしまうことを防ぐことができる。
【０１３４】
第４に、明るい部屋の中に移動型放送受信装置を置き忘れてしまった時も、明るさの変化の検出、移動型放送受信装置とその前にある物との距離の検出、動く物体の検出をすることによって、ユーザーが視聴していないと判断される時には無条件にテレビジョン受信を継続するのではなく、ユーザーの操作をトリガにしてテレビジョン受信を継続させることによって、ユーザーが視聴していないにもかかわらずデジタル放送コンテンツ表示が継続されていまいバッテリー電力を消費してしまうことを防ぐことができる。
【０１３５】
第５に、ユーザーが視聴していると判断するまで表示部のバックライトをオフにすることにより、明るさ測定時に表示部のバックライトによる誤認識を防ぐことができる。
【０１３６】
第６に、周囲の明るさが暗かった場合にのみカメラ用フラッシュを点灯させ、撮像部の焦点距離を測定することにより、暗い部屋でユーザーが見ることができる状況にあるのか、カバンの中に入れっぱなしになっているのかを判断することができる。また周囲の明るさが明るかった場合にはカメラ用フラッシュを点灯させないようにするため、無駄にフラッシュを点灯させバッテリー電力の消費を防ぐことができる。
【図面の簡単な説明】
【０１３７】
【図１】実施形態の携帯通信端末の主要構成を示すブロック図である。
【図２】携帯通信端末の操作キーや表示部等が視認可能な状態を示す外観図である。
【図３】実施例１のフローチャートである。
【図４】実施例２のフローチャートである。
【図５】実施例３のフローチャートである。
【図６】実施例４のフローチャートである。
【図７】実施例５のフローチャートである。
【図８】実施例６のフローチャートである。
【符号の説明】
【０１３８】
１…携帯端末、２…放送受信部、４…表示部、４Ａ…ポップアップ表示、５…操作部、６…音声入出力部、８…チューナー制御手段、９…予約制御手段、１０…予約解除制御手段、１１…撮像部、１２…照度センサー、１３…明るさ判定手段、１４…応答検出手段、２０…制御部
【図１】
2007151165.tif 000003
【図２】
2007151165.tif 000004
【図３】
2007151165.tif 000005
【図４】
2007151165.tif 000006
【図５】
2007151165.tif 000007
【図６】
2007151165.tif 000008
【図７】
2007151165.tif 000009
【図８】
2007151165.tif 000010
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
デジタル放送の予約視聴が可能な移動型放送受信装置の放送受信方法において、
予約された番組の開始時刻に応じて、周囲の明るさを検出し、該検出結果に応じて当該予約に基づくデジタル放送の受信処理又は表示処理を行う
ことを特徴とする放送受信方法。
【請求項２】
前記検出した周囲の明るさが基準値以上の場合に、デジタル放送を表示する
ことを特徴とする請求項１に記載の放送受信方法。
【請求項３】
前記検出した周囲の明るさが基準値未満である場合、当該検出後の所定期間中に再度、周囲の明るさを検出する
ことを特徴とする請求項１に記載の放送受信方法。
【請求項４】
前記所定期間中にキー操作があったときは、前記予約に基づくデジタル放送を表示する
ことを特徴とする請求項３に記載の放送受信方法。
【請求項５】
前記所定期間中に再度、周囲の明るさを検出し、当該検出した明るさと最初に検出した明るさとを基に、前記予約に基づくデジタル放送の受信処理又は表示処理を行う
ことを特徴とする請求項３に記載の放送受信方法。
【請求項６】
前記所定期間中に周囲の明るさが前期基準値以上に変化した場合は、前記予約に基づくデジタル放送を表示する
ことを特徴とする請求項５に記載の放送受信方法。
【請求項７】
前記予約された番組の開始時刻にデジタル放送を受信せずに周囲の明るさを検出し、検出した明るさが前期基準値以上と判定した後に前記予約に基づくデジタル放送を受信する
ことを特徴とする請求項２に記載の放送受信方法。
【請求項８】
前記検出した周囲の明るさが前記基準値未満である場合、ユーザーに通知する
ことを特徴とする請求項２に記載の放送受信方法。
【請求項９】
前記検出した周囲の明るさが前記基準値以上の場合、前記移動型放送受信装置が具備する撮像手段により焦点距離を測定し、該測定した焦点距離が基準範囲内であれば前記予約に基づくデジタル放送を表示する
ことを特徴とする請求項２に記載の放送受信方法。
【請求項１０】
前記検出した周囲の明るさが前記基準値以上の場合、前記移動型放送受信装置が具備する撮像手段により画像を複数枚撮影し、その撮影された画面の差分を求め、該差分に基づいて前記予約に基づくデジタル放送を表示する
ことを特徴とする請求項２に記載の放送受信方法。
【請求項１１】
前記画面の差分が基準範囲外のときは前記予約に基づくデジタル放送を表示する
ことを特徴とする請求項１０に記載の放送受信方法。
【請求項１２】
前記予約に基づくデジタル放送を表示するまで表示用ライトをオフにしたままとする
ことを特徴とする請求項１〜１１のいずれかに記載の放送受信方法。
【手続補正３】
【補正対象書類名】明細書
【補正対象項目名】０００８
【補正方法】変更
【補正の内容】
【０００８】
本発明に係る放送受信方法は、デジタル放送の予約視聴が可能な移動型放送受信装置の放送受信方法において、予約された番組の開始時刻に応じて、周囲の明るさを検出し、該検出結果に応じて当該予約に基づくデジタル放送の受信処理又は表示処理を行うことを特徴とする。
【手続補正４】
【補正対象書類名】明細書
【補正対象項目名】０００９
【補正方法】変更
【補正の内容】
【０００９】
本発明では好適に、前記検出した周囲の明るさが基準値以上の場合に、デジタル放送を表示することを特徴とする。
【手続補正５】
【補正対象書類名】明細書
【補正対象項目名】００１０
【補正方法】変更
【補正の内容】
【００１０】
本発明では好適に、前記検出した周囲の明るさが基準値未満である場合、当該検出後の所定期間中に再度、周囲の明るさを検出することを特徴とする。
【手続補正６】
【補正対象書類名】明細書
【補正対象項目名】００１１
【補正方法】変更
【補正の内容】
【００１１】
この場合、好適に、前記所定期間中にキー操作があったときは、前記予約に基づくデジタル放送を表示することを特徴とする。
【手続補正７】
【補正対象書類名】明細書
【補正対象項目名】００１２
【補正方法】変更
【補正の内容】
【００１２】
あるいは好適に、前記所定期間中に再度、周囲の明るさを検出し、当該検出した明るさと最初に検出した明るさとを基に、前記予約に基づくデジタル放送の受信処理又は表示処理を行うことを特徴とする。
【手続補正８】
【補正対象書類名】明細書
【補正対象項目名】００１３
【補正方法】変更
【補正の内容】
【００１３】
この場合、好適に、前記所定期間中に周囲の明るさが前期基準値以上に変化した場合は、前記予約に基づくデジタル放送を表示することを特徴とする。
【手続補正９】
【補正対象書類名】明細書
【補正対象項目名】００１４
【補正方法】変更
【補正の内容】
【００１４】
本発明では好適に、前記予約された番組の開始時刻にデジタル放送を受信せずに周囲の明るさを検出し、検出した明るさが前期基準値以上と判定した後に前記予約に基づくデジタル放送を受信することを特徴とする。
【手続補正１０】
【補正対象書類名】明細書
【補正対象項目名】００１５
【補正方法】変更
【補正の内容】
【００１５】
本発明では好適に、前記検出した周囲の明るさが前記基準値未満である場合、ユーザーに通知することを特徴とする。
【手続補正１１】
【補正対象書類名】明細書
【補正対象項目名】００１６
【補正方法】変更
【補正の内容】
【００１６】
本発明では好適に、前記検出した周囲の明るさが前記基準値以上の場合、前記移動型放送受信装置が具備する撮像手段により焦点距離を測定し、該測定した焦点距離が基準範囲内であれば前記予約に基づくデジタル放送を表示することを特徴とする。
【手続補正１２】
【補正対象書類名】明細書
【補正対象項目名】００１７
【補正方法】変更
【補正の内容】
【００１７】
本発明では好適に、この場合、好適に、前記検出した周囲の明るさが前記基準値以上の場合、前記移動型放送受信装置が具備する撮像手段により画像を複数枚撮影し、その撮影された画面の差分を求め、該差分に基づいて前記予約に基づくデジタル放送を表示することを特徴とする。
【手続補正１３】
【補正対象書類名】明細書
【補正対象項目名】００１８
【補正方法】変更
【補正の内容】
【００１８】
この場合、好適に前記画面の差分が基準範囲外のときは前記予約に基づくデジタル放送を表示することを特徴とする。
【手続補正１４】
【補正対象書類名】明細書
【補正対象項目名】００１９
【補正方法】変更
【補正の内容】
【００１９】
本発明では好適に、前記予約に基づくデジタル放送を表示するまで表示用ライトをオフにしたままとすることを特徴とする。